(57)【要約】【課題】構造が簡単で取付位置が簡単に変えられる。【解決手段】係留具３の中央部５が飾り具２の裏面に取り付けられ、係留具３の一端部７と他端部８とが互いに中央部５との間に紐収容部Ｋを形成し、隙間１２が一端部７と他端部８との間に紐の通過を許容するように形成されて、係留具３の構造が簡単であるうえ、平紐または丸紐などの紐がアクセサリー１の後方から隙間１２を通過して係留具３の紐収容部Ｋに取り込まれ、紐収容部Ｋに取り込まれた紐が係留具３の中央部５と一端部７と他端部８とで前後方向から弾性的に支持され、人が片方の手で紐を持つとともに別の手でアクセサリー１を持って引き下げるか引き上げることによって、アクセサリー１の紐に取り付けられる位置を簡単に変えることができる。【選択図】図１
2010115254.tif 000002
【特許請求の範囲】
【請求項１】
飾り具と飾り具の裏面に取り付けられる係留具とからなるアクセサリーであって、係留具が、飾り具の裏面に取り付けられる中央部と、中央部の一端から後方に突出しかつ中央部との間に紐収容部を形成するように中央部と対向する方向に突出する一端部と、中央部の他端から後方に突出しかつ中央部との間に紐収容部を形成するように中央部と対向する方向に突出する他端部と、一端部と他端部との間に紐の通過を許容するように形成された隙間とを備えたことを特徴とするアクセサリー。
【発明の詳細な説明】
【技術分野】
【０００１】
本発明は、取付位置が簡単に変えられる構造の簡単なアクセサリーに関する。
【背景技術】
【０００２】
特許文献１乃至特許文献３で開示されたアクセサリーは、飾り具に取り付けられた係留具がループタイなどの紐に装着されるようになっている。しかしながら、係留具が台座と台座に回転可能に設けられた板ばね片とを有する複雑な構造であるうえ、係留具の紐に取り付けられる位置（係留具の取付位置）を変える場合、板ばね片を引き起こしたり倒したりする操作が面倒であるという欠点がある。
【特許文献１】特開平９−２５００１４号公報
【特許文献２】特開平１０−５０１２号公報
【特許文献３】特開平１０−１１０３１１号公報
【発明の開示】
【発明が解決しようとする課題】
【０００３】
発明が解決しようとする問題点は、係留具の構造が複雑であるうえ、係留具の取付位置を変える操作が面倒であるという点である。
【課題を解決するための手段】
【０００４】
本発明に係るアクセサリーは、飾り具と飾り具の裏面に取り付けられる係留具とからなるアクセサリーであって、係留具が、飾り具の裏面に取り付けられる中央部と、中央部の一端から後方に突出しかつ中央部との間に紐収容部を形成するように中央部と対向する方向に突出する一端部と、中央部の他端から後方に突出しかつ中央部との間に紐収容部を形成するように中央部と対向する方向に突出する他端部と、一端部と他端部との間に紐の通過を許容するように形成された隙間とを備えたことを最も主要な特徴とする。
【発明の効果】
【０００５】
本発明に係るアクセサリーは、係留具の中央部が飾り具の裏面に取り付けられ、係留具の一端部と他端部とが互いに中央部との間に紐収容部を形成し、紐の通過を許容する隙間が一端部と他端部との間に形成されたことによって、係留具の構造が簡単であるうえ、アクセサリーが紐に取り付けられた状態において、人が紐の係留具よりも上方の部分を片方の手で持つとともに別の手でアクセサリーを持って引き下げるか、または、人が紐の係留具よりも下方の部分を片方の手で持つとともに別の手でアクセサリーを持って引き上げることによって、アクセサリーの紐に取り付けられる位置を簡単に変えることができる。
【発明を実施するための最良の形態】
【０００６】
図１のａ図は、飾り具２と係留具３とが分解されたアクセサリー１を示す。図１のｂ図は、飾り具２と係留具３とが結合されたアクセサリー１を示す。図１のｃ図は、飾り具２が成形されたアクセサリー１を示す。図２は、平紐１５に取り付けられたアクセサリー１を図１のｃ図の矢印Ｓで示す方向から見るとともに一部を除去した平面を示す。図３は、紐たる丸紐１６に取り付けられたアクセサリー１を図１のｃ図の矢印Ｓで示す方向から見るとともに一部を除去した平面を示す。図４のａ図は、装飾具としてのアクセサリー１を示す。図４のｂ図は、装身具としてのアクセサリー１を示す。
【０００７】
図１を参照し、アクセサリー１の構造について説明する。図１のａ図において、アクセサリー１は、飾り具２と係留具３とを備える。飾り具２の形状は、方形を例示したが、三角形、多角形、円形、楕円形、動物、植物、それら以外の物品を見る人に思い浮かべさせる形状でもよい。飾り具２の表面には、図外の飾り模様が設けられる。飾り具２の裏面には、棒状の取付部４が飾り具２の裏面から後方に突出するように設けられる。係留具３は、金属板からなる。係留具３の中央部５には、方形な取付孔６が前後方向への貫通孔として設けられる。取付孔６は楕円形でよい。係留具３の一端部７は、中央部５の一端から後方に突出する。一端部７の後端部には、筒部９が設けられる。係留具３の他端部８は、中央部５の他端から後方に突出する。他端部８の後端部には、曲がり部１０が波状に設けられる。
【０００８】
そして、飾り具２と係留具３とが互いに組み立てられる場合について説明する。先ず、図１のａ図に示すように、係留具３の一端部７および他端部８が左右方向に配置され、筒部９が上下方向に貫通するように向けられ、曲がり部１０の波状が左右方向に蛇行するように配置され、飾り具２の取付部４が係留具３の前方から取付孔６に挿入され、飾り具２の裏面と係留具３の前面とが互いに接触させられ、取付部４の頭部１１が係留具３の取付孔６から後方に突出する。
【０００９】
次に、図１のｂ図に示すように、取付部４の後端部がかしめ加工などによって潰されて頭部１１になる。これによって、取付孔６の内部に配置された取付部４の部分が塑性変形して飾り具２の裏面と平行な方向に広がって取付孔６を埋め尽くし、取付部４の後端部が塑性変形して飾り具２の裏面と平行な方向に広がって取付孔６を覆い隠しかつ係留具３の取付孔６の周りの裏面に接触して頭部１１を構成し、係留具３が飾り具２に固定されて回転することはない。その後、図外の型を係留具３の中央部５の裏面と一端部７と他端部８との間に配置し、係留具３の一端部７と他端部８とが互いに取付部４の頭部１１の側に折り曲げられる。これによって、図１のｃ図に示すように、係留具３の一端部７と他端部８とが上記型に沿って中央部５との間に紐収容部Ｋを形成するように中央部５と対向する方向に突出した態様になる。
【００１０】
図１のｃ図において、曲がり部１０の頭部１１と対向する端部は、一端部７の側から他端部８の側に行くに従って後方から前方に行くような弧状になっている。筒部９は、曲がり部１０の端部よりも後方に配置される。筒部９と曲がり部１０の端部との間には、隙間１２が形成される。つまり、係留具３の中央部５が飾り具２の裏面に取り付けられ、係留具３の一端部７と他端部８とが互いに中央部５との間に紐収容部Ｋを形成し、隙間１２が一端部７と他端部８との間に紐の通過を許容するように形成されたので、係留具３の構造が簡単である。
【００１１】
図２を参照し、アクセサリー１が平紐１５に取り付けられた態様について説明する。２本の平紐１５がアクセサリー１の後方から矢印Ｘで示すように隙間１２を通過して係留具３の紐収容部Ｋに取り込まれ、紐収容部Ｋに取り込まれた紐が係留具３の中央部５と一端部７と他端部８とで前後方向から弾性的に支持される。例えば、２本の平紐１５が紐収容部Ｋにおいて互いに前後方向に重ね合わせられ、前方の平紐１５の前面が係留具３の中央部５の裏面および取付部４の頭部たる頭部１１に接触し、後方の平紐１５の一部が筒部９の前面および曲がり部１０の端部の前面に接触する。これによって、係留具３の中央部５と取付部４の頭部１１と筒部９および曲がり部１０が前後方向に重ね合わせられた２本の平紐１５の一部を弾性的に支持する。
【００１２】
アクセサリー１が平紐１５に取り付けられた状態において、人が平紐１５の係留具３よりも上方の部分を片方の手で持つとともに別の手でアクセサリー１を持って引き下げるか、または、人が平紐１５の係留具３よりも下方の部分を片方の手で持つとともに別の手でアクセサリー１を持って引き上げることによって、アクセサリー１の平紐１５に取り付けられる位置を簡単に変えることができる。
【００１３】
平紐１５は１本でもよい。この場合、１本の平紐１５の前後方向の厚さが２本の平紐１５が重ね合わせられた場合における前後方向の厚さ以上の厚さを有することによって、図２に示す態様と同じにアクセサリー１が１本の平紐１５に取り付けられる。つまり、図２において、平紐１５は１本でもよい。
【００１４】
図３を参照し、アクセサリー１が丸紐１６に取り付けられた態様について説明する。２本の丸紐１６がアクセサリー１の後方から矢印Ｘで示すように隙間１２を通過して係留具３の紐収容部Ｋに取り込まれ、紐収容部Ｋに取り込まれた紐が係留具３の中央部５と一端部７と他端部８とで前後方向から弾性的に支持される。例えば、２本の丸紐１６が紐収容部Ｋにおいて互いに左右に分けられ、係留具３の中央部５と一端部７が一本の丸紐１６の一部を圧縮しつつ弾性的に支持し、係留具３の中央部５と一端部７とがもう一本の丸紐１６の一部を圧縮しつつ弾性的に支持する。仮想線Ｌは、係留具３の中央部５と一端部７とを繋ぐ部分または係留具３の中央部５と他端部８とを繋ぐ部分で圧縮を受けていない丸紐１６の外形を示す。
【００１５】
アクセサリー１が丸紐１６に取り付けられた状態において、人が丸紐１６の係留具３よりも上方の部分を片方の手で持つとともに別の手でアクセサリー１を持って引き下げるか、または、人が丸紐１６の係留具３よりも下方の部分を片方の手で持つとともに別の手でアクセサリー１を持って引き上げることによって、アクセサリー１の丸紐１６に取り付けられる位置を簡単に変えることができる。
【００１６】
図４を参照し、装飾具または装身具としてのアクセサリー１の使い方を説明する。図４のａ図では、装飾具を構成するアクセサリー１は、部屋の壁１７に設けられたにフック１８に吊下げられた紐１９に取り付けられた場合である。図４のｂ図では、装身具を構成するアクセサリー１は、人２０に着用された上着２１の襟２２に吊下げられた紐１９に取り付けられた場合である。紐１９は、図２の平紐１５または図３の丸紐１６に相当する。
【産業上の利用可能性】
【００１７】
図５は、発明を実施するための異なる形態を示す。図５では、係留具３が張出部１３および支持部１４を備え、係留具３の回り止めを向上する構造が、最良の形態と異なる。図５のａ図に示すように、張出部１３が係留具３の中央部５から上下方向に突出し、支持部１４が上下の張出部１３に設けられる。支持部１４は、前方から後方に突出しかつ左右方向に延びる凸条である。そして、飾り具２の取付部４が係留具３の前方から取付孔６に挿入され係留具３の取付孔６から後方に突出した取付部４の頭部１１がかしめ加工などによって形成される場合、上方における支持部１４の上縁部と下方における支持部１４の下縁部と中央部とが飾り具２の裏面に接触し、上方の支持部１４が上方に広がるように弾性変形し、下方の支持部１４が下方に広がるように弾性変形し、係留具３が飾り具２に固定されて回転することはない。よって、この異なる形態の場合、取付孔６は丸孔であってもよい。
【００１８】
図示は省略するが、図１および図５に示す取付孔６を丸孔に構成し、かしめ加工よりも前の時点において飾り具２と係留具３の中央部５とに金属ボンド層を設け、その後、取付部４をかしめ加工し、係留具３が回転しないように飾り具２に固定されるようにしてもよい。図示は省略するが、図１および図５に示す取付部４を鉤部として構成し、図１および図５に示す取付孔６を被鉤部として構成し、取付部４なる鉤部を取付孔６なる被鉤部に上方から嵌めることによって、飾り具２を係留具３に着脱可能に構成してもよい。
【図面の簡単な説明】
【００１９】
【図１】ａ図は飾り具と係留具とが分解されたアクセサリーの斜視図、飾り具と係留具とが結合されたアクセサリーの斜視図、飾り具が成形されたアクセサリーの斜視図（最良の形態）。
【図２】平紐に取り付けられたアクセサリーの平面図（最良の形態）。
【図３】丸紐に取り付けられたアクセサリーの平面図（最良の形態）。
【図４】ａ図は装飾物を構成するアクセサリーの斜視図、ｂ図は装身具を構成するアクセサリーの斜視図。（最良の形態）。
【図５】ａ図は飾り具と係留具とが分解されたアクセサリーの斜視図、ｂ図はａ図のＡ−Ａ線断面図（最良の形態）。
【符号の説明】
【００２０】
１はアクセサリー、２は飾り具、３は係留具、４は取付部、５は中央部、６は取付孔、７は一端部、８は他端部、９は筒部、１０は曲がり部、１１は頭部、１２は隙間、１３は張出部、１４は支持部、１５は平紐、１６は丸紐、Ｋは紐収容部。
【図１】
2010115254.tif 000003
【図２】
2010115254.tif 000004
【図３】
2010115254.tif 000005
【図４】
2010115254.tif 000006
【図５】
2010115254.tif 000007